(57)【要約】【課題】線材の形状の導電端子を備えることにより、構造の簡素化を可能にしながら組立が容易で、ハンダ付けによる固定の信頼性が高い電池収納構造、及び撮像装置を提供すること。【解決手段】本発明にかかる電池収納構造５０は、電池収納空間５８の電池電極を接触させる電極導電端子５２，５３を金属製の線材により、電池接触部をコイル状部５２１，５３１に形成するとともにコイル状部５２１，５３１の他方となる端部に係止部５２３，５３３とコイル状部５２１，５３１と係止部５２３，５３３との間に折り曲げ部５２２，５３２を形成し電気基板回路６０にハンダ付けをするものである。【選択図】図６
2014107080.tif 000002
【特許請求の範囲】
【請求項１】
電池収納空間を形成する壁部に対して、この電池収納空間に収納される電池の電極に接触する導電端子を備えた電池収納構造であって、
一端に電池接触部と他端に係止部とを備えるとともに、前記電池接触部と前記係止部との間に折り曲げ部を設けた導電端子と、
基板を配置するための基板収納部と、
を有し、
前期導電端子を前記電池接触部により前記壁部に、前記係止部により前記電池収納構造に保持し、前記折り曲げ部と前記基板とを電気的に固着することにより前記電池からの電流を前記基板に導通するようにしたことを特徴とする電池収納構造。
【請求項２】
前記導電端子が、同軸芯となるコイル状部から延設され、前記コイル状部と前記折り曲げ部と前記係止部とが連なる形状となるよう単一の金属製の線材を成形して構成されることを特徴とする請求項１に記載の電池収納構造。
【請求項３】
請求項１及び請求項２のいずれか１項に記載の電池収納構造が設けられていることを特徴とする撮像装置。
【発明の詳細な説明】
【技術分野】
【０００１】
本発明は電池収納構造、及び撮像装置に関する。
【背景技術】
【０００２】
電池の電極に対する導電端子の圧接力を充分に持たせながら電池を容易に挿入し得る電池収納構造を合理的に構成するために、乾電池の電極に接触する一対の接触部と、この接触部を張り出し方向に付勢するトーションバネ形の一対のコイル状部とを金属製の線材の成形によって形成すると共に、接触部の長手方向を乾電池の挿入方向と平行となる姿勢に設定し、又、接触部の揺動端に位置する先端部に係合して接触部の張り出しを規制する係止片を電池収納空間の縦壁部の側に備えた電池収納構造が提案されている（ 特許文献１参照） 。
【０００３】
また、部品取付け穴の周域に形成した半田付けランドに対し、基板に穿孔した部品取付け穴を取り囲んで導体パターンの一部に半田付けランドを形成したプリント配線板に対し、半田付けランドの周上一部に少なくとも内周端が部品取付け穴の周縁に接するようにソルダレジストを塗布してランド欠如部を設け、部品実装前の半田ディップ工程で部品取付け穴に過剰な半田が付着するのを巧みに回避できるようにしたプリント配線板が提案されている（ 特許文献２参照） 。
【先行技術文献】
【特許文献】
【０００４】
【特許文献１】特開２００１−１８５１０６号公報
【特許文献２】特開平６−９７６３７号公報
【発明の概要】
【発明が解決しようとする課題】
【０００５】
しかしながら、特許文献１の提案では、電池を格納する構造体を実際の電気機器に組み込んだ際の電池収納構造の配置固定は、電極の接触部である導電端子を電気回路基板にハンダ付けにより固定する構成としており、電池収納構造の固定が導電端子と電気回路基板の接点のみで支持され、電池収納構造の固定強度が十分ではないという問題があった。
【０００６】
また、電池収納構造体を固定し、導電端子から電気回路基板へ配線、あるいは別途導電体での接続するようにした場合、やはり電気回路基板にハンダ付けにより固定することが考えられるが、特許文献２の提案では、円状のランドに関しての開示のみであり、電池の電流が供給される電池収納構造体導電端子から電気回路基板への配線に適応していないという問題があった。
【０００７】
本発明は、上記の課題に鑑みてなされたものであり、線材の形状の導電端子を備えることにより、構造の簡素化を可能にしながら組立が容易で、ハンダ付けによる固定の信頼性が高い電池収納構造、及び撮像装置を提供することを目的とする。
【課題を解決するための手段】
【０００８】
本発明は、上記課題を解決するために、以下に記載の手段よりなる。
すなわち、
電池収納空間を形成する壁部に対して、この電池収納空間に収納される電池の電極に接触する導電端子を備えた電池収納構造であって、
一端に電池接触部と他端に係止部とを備えるとともに、前記電池接触部と前記係止部との間に折り曲げ部を設けた導電端子と、
基板を配置するための基板収納部と、
を有し、
前期導電端子を前記電池接触部により前記壁部に、前記係止部により前記電池収納構造に保持し、前記折り曲げ部と前記基板とを電気的に固着することにより前記電池からの電流を前記基板に導通するようにしたことを特徴とする電池収納構造。
【発明の効果】
【０００９】
線材の形状の導電端子を備えることにより、構造の簡素化を可能にしながら組立が容易で、ハンダ付けによる固定の信頼性が高い電池収納構造、及び撮像装置を提供することができる。
【図面の簡単な説明】
【００１０】
【図１】実施の形態にかかる撮像装置の外観図である。
【図２】実施の形態にかかる撮像装置のブロック図である。
【図３】実施の形態にかかる操作端末のブロック図である。
【図４】実施の形態にかかる電池収納構造の外観図である。
【図５】実施の形態にかかる電池収納構造の導電端子を説明するための図である。
【図６】実施の形態にかかる電池収納構造及び電気回路基板の配置図である。
【図７】実施の形態にかかる電気回路基板の外観図である。
【図８】実施の形態にかかる電気回路基板の導電端子に対応するフットプリントの模式      図である。
【図９】実施の形態にかかる電気回路基板の導電端子に対応するフットプリントの一例を示す図である。
【発明を実施するための形態】
【００１１】
以下、図面を参照して本発明の実施の形態について説明する。本実施の形態にかかる電池収納構造は、多様な電気機器に備えることができるものである。本実施の形態にかかる電池収納構造を備えた撮像装置を例に説明する。撮像装置１は、動画像及び静止画像を撮像することができるデジタルカメラを有している。撮像装置１の外観斜視図を図１に示す。
【００１２】
＜撮像装置１の外観構成＞
図１に示すように、撮像装置１は、本体部１１と、支持部１２と、アーム部１３と、回転台１４と、固定台１５と、を備える。
【００１３】
本体部１１は、複数のレンズを有するレンズユニットや、撮像素子、バッテリ、Ｗｉ−Ｆｉモジュール等を格納する筐体である。本体部１１の前側には、レンズが取り付けられている。本体部１１は、後述する操作端末と無線通信を行い、操作端末から送信される指示信号に応じて動作する。
【００１４】
支持部１２は、本体部１１を支持する。また、支持部１２の左右方向の両端は、アーム部１３に対して回転可能に連結されている。このため、支持部１２は、左右方向を軸とするピッチ方向に回転することができる。アーム部１３の一端は、支持部１２に連結されている。また、アーム部１３の他端は、回転台１４の側面に固定されている。
【００１５】
回転台１４は、円盤形状であり、側面（周面）の対向する位置にアーム部１３が固定されている。回転台１４は、固定台１５に対して回転可能に連結されている。このため、回転台１４は、上下方向を軸とするヨー方向に回転することができる。このような構成により、本体部１１は、固定台１５の上方に位置するように支持され、パン動作（ヨー方向回転）及びチルト動作（ピッチ方向回転）を行うことができる。パンチルト動作は、図示しないモータを駆動させることにより実現される。つまり、支持部１２と、アーム部１３と、回転台１４と、固定台１５と、がパンチルト動作可能な雲台として機能する。
【００１６】
＜撮像装置１の内部回路構成＞
撮像装置１の本体部１１の内部回路構成について説明する。図２は、本実施の形態にかかる本体部１１のブロック図である。本体部１１は、ズームレンズ１０１、フォーカスレンズ１０２、絞り１０３、及び撮像素子１０４で構成される撮像部１００を有する。ズームレンズ１０１は図示しないズームアクチュエータによって光軸ＬＡに沿って移動する。同様に、フォーカスレンズ１０２は、図示しないフォーカスアクチュエータによって光軸ＬＡに沿って移動する。絞り１０３は、図示しない絞りアクチュエータに駆動されて動作する。撮像素子１０４は、ＣＣＤ（Charge Coupled Device）やＣＭＯＳ（Complementary Metal Oxide Semiconductor）等で構成される。
【００１７】
撮像装置１を用いた撮像は以下の手順で行われる。撮像素子１０４は、ズームレンズ１０１、フォーカスレンズ１０２、及び絞り１０３を通過した光を光電変換して、被写体のアナログ画像信号を生成する。アナログ画像信号処理部１０５が、このアナログ画像信号を増幅した後、画像Ａ／Ｄ変換部１０６が、その増幅された信号をデジタル画像データに変換する。画像入力コントローラ１０７は、画像Ａ／Ｄ変換部１０６から出力されたデジタル画像データを撮像データとして取り込んで、バス２００を介してメインメモリ２０５に格納する。
【００１８】
デジタル信号処理部１０８（歪み補正処理手段）は、バス２００を介して中央制御部４００からの指令に基づき、メインメモリ２０５に格納された撮像データを取り込み、ＲＧＢ信号に対して、所定の信号処理を施して輝度信号と色差信号とからなるデータを生成する。デジタル信号処理部１０８はまた、オフセット処理、ホワイトバランス調整処理、ガンマ補正処理、ＲＧＢ補完処理、ノイズ低減処理、輪郭補正処理、歪み補正処理、色調補正処理、光源種別判定処理等の各種デジタル補正を行う。
【００１９】
マイク１０９は撮像時の周囲の音声を収音し、アナログ音声信号を生成する。アナログ音声信号処理部１１０がそのアナログ音声信号を増幅した後、音声Ａ／Ｄ変換部１１１が、その増幅された信号をデジタル音声データに変換する。音声入力コントローラ１１２は、音声Ａ／Ｄ変換部１１１から出力されたデジタル音声データを撮像データと併せてメインメモリ２０５に格納する。
【００２０】
多重化部１１３は、メインメモリ２０５に格納された撮像データ及びデジタル音声データの圧縮データを多重化しストリームデータを生成する。また、多重化部１１３は、カード型記録媒体３０２に格納されたストリームデータに逆多重化処理を施し、映像の圧縮データと音声の圧縮データとをそれぞれ分離して生成する。
【００２１】
圧縮・伸長処理部２０１は、バス２００を介して中央制御部４００からの指示に従い、メインメモリ２０５に格納された撮像データ及びデジタル音声データに所定の圧縮処理を施し、圧縮データを生成する。また、圧縮・伸長処理部２０１は、中央制御部４００からの指令に従い、カード型記録媒体３０２等に格納された映像の圧縮データ及び音声の圧縮データに所定形式の伸張処理を施し、非圧縮データを生成する。なお、本実施の形態の撮像装置１では、静止画像に対してはＪＰＥＧ規格に準拠した圧縮方式が、動画像に対してはＭＰＥＧ２規格やＡＶＣ／Ｈ．２６４規格に準拠した圧縮方式が採用される。
【００２２】
音声・画像処理部２０２は、バス２００を介して中央制御部４００の指示に従い、メインメモリ２０５から読み出したデジタルデータに所定の画像処理を施す。例えばメニュー画像やＯＳＤ画像等、各種処理のための画像データを生成し、その画像データをメインメモリ２０５から読み出されたオリジナルの撮像データに重畳させて液晶モニタ３０４に出力する。この出力によって、液晶モニタ３０４に表示される画像は各種画像データが合成されたものとなる。なお、液晶モニタ３０４の代わりに有機ＥＬ（Electro-Luminescence）モニタ等の他のモニタを用いることも可能である。
【００２３】
ＲＯＭ２０３は、バス２００を介して中央制御部４００に接続されており、中央制御部４００が実行する制御プログラム及び制御に必要な各種データ等を格納している。フラッシュＲＯＭ２０４は、ユーザの設定情報等、撮像装置１の動作に関する各種設定情報を格納している。例えば、撮像装置１は、様々な撮像のシチュエーションに応じて、いくつかの撮像モードと、各モードにあわせた撮像条件の設定を予めフラッシュＲＯＭ２０４に記憶している。そして、ユーザは撮像を開始する前に、各モードの中から最適なモードを選択することにより、最適な撮像条件で撮像を実施することができる。例えば、特定の人物の撮像に適した「ポートレートモード」、運動会等の撮像に適した「スポーツモード」、又は夜景等の暗い場所の撮像に適した「夜景モード」等である。
【００２４】
メインメモリ２０５は、撮像データ（動画像及び静止画）の一時記憶領域として使用される。メインメモリ２０５は、中央制御部４００の指令に応じて、保持している多重化されたストリームデータをカード型記録媒体３０２に格納する。
【００２５】
メディア制御部２０６は、中央制御部４００の指令に従い、カードＩ／Ｆ３０１を通じてカード型記録媒体３０２へのデータの書き込みやデータの読み出しを制御する。カード型記録媒体３０２はＳＤカードやコンパクトフラッシュ（登録商標）等の外部メモリであり、撮像装置１に対して脱着可能に設けられている。
【００２６】
ジャイロセンサ２０７は、３軸の加速度及び角速度の変化を検出し、撮像装置１のパンチルト量や上下及び左右の手ぶれ量を検出する。時計２０８は、撮像データの生成日時の情報を生成する。
【００２７】
液晶モニタ３０４、スピーカ３０５、操作部３０６及び入出力端子３０７は入出力Ｉ／Ｆ３０３に接続されている。液晶モニタ３０４は、例えばメインメモリ２０５に一時記録された撮像データや各種メニュー画像データ等、各種画像データから生成された画像を表示する。スピーカ３０５は、例えばメインメモリ２０５に一時記録された音声を出力する。操作部３０６は、上記のように、レリーズ・スイッチや電源スイッチを含む操作キー、十字キー、ジョイスティック、又は液晶モニタ３０４上に重畳されたタッチパネル等から構成されており、ユーザの撮像装置１への操作入力を受け付ける。入出力端子３０７は、パンチルト動作が可能な雲台（図１参照）やテレビモニタ、ＰＣ（Personal  Computer）等に接続される。
【００２８】
無線モジュール３０９は、バス２００及び無線Ｉ／Ｆ３０８を介して、操作端末との間で信号の送受信を行う。具体的には、無線モジュール３０９は、Ｗｉ−Ｆｉ等の無線ＬＡＮ規格に準拠した通信処理を行う。これにより、操作端末との通信が可能になる。
【００２９】
中央制御部４００は、ＣＰＵ、各種プログラムが格納されたＲＯＭ、及びワークエリアとしてのＲＡＭ等を含む半導体集積回路により構成され、撮像、各種画像の表示、及び連携撮影に関する情報の送受信等の撮像装置１全体の処理を統括的に制御する。中央制御部４００は、画像切り出し部４０１と、領域状態検出部４０２と、画角制御部４０３と、を備える。
【００３０】
画像切り出し部４０１は、撮像処理により生成された撮像画像データ（第１の画像データ）において、操作端末から送信される画素数に関する情報（例えば、１９２０×１０８０画素等の画像サイズ等。以下、画素数情報と称す。）に応じた画素数の領域を切り出し領域として設定する。なお、画素数情報とは、操作端末の表示部の画素数（以下では、画像サイズともいう）が特定可能な情報であればよく、予め操作端末の表示部の大きさ（インチ）が決まっている場合には、画素数の代わりに解像度を画素数情報として用いてもよい。
【００３１】
そして、画像切り出し部４０１は、当該切り出し領域の画像データを切り出す。つまり、切り出し領域に含まれる画像データ（第２の画像データ）は、撮像画像データの一部の領域であり、撮像画像データよりも画素数が少ない画像データである。画像切り出し部４０１は、切り出した画像データを無線モジュール３０９に出力する。無線モジュール３０９は、切り出された画像データを、無線通信路を介して、操作端末に送信する。
【００３２】
画像切り出し部４０１は、操作端末から送信されたパン動作、チルト動作、ズーム動作、テレ動作の実行を指示する情報、つまり、撮像部１００の画角の変更を指示するための情報（画角変更情報）に基づいて、撮像画像データにおける切り出し領域の位置を設定する。言い換えると、画像切り出し部４０１は、撮像画像データ（第１の画像データ）において、画角変更情報に応じた領域を、切り出し領域（第２の画像データ）として切り出す。
【００３３】
領域状態検出部４０２（領域位置検出手段、領域画素数検出手段）は、撮像画像データにおける切り出し領域の位置及び切り出し領域に含まれる画素数を検出する。領域状態検出部４０２は、検出した切り出し領域の位置及び画素数を、画角制御部４０３に出力する。
【００３４】
画角制御部４０３（第１及び第２の画角制御手段）は、撮像装置１にパン動作、チルト動作、ズーム動作、テレ動作を実行させるための制御信号を生成する。画角制御部４０３は、領域状態検出部４０２から出力された切り出し領域の位置及び画素数に基づいて、撮像部１００の画角を制御する。そして、画角制御部４０３は、パン動作またはチルト動作を実行させる場合、生成した制御信号を図１に示す雲台のモータ（図示省略）に対して出力する。これにより、雲台に搭載された撮像装置１がパン方向またはチルト方向に回転する。なお、パン方向とは水平方向を意味し、チルト方向とは垂直方向を意味する。また、ズーム動作またはテレ動作を実行させる場合、画角制御部４０３は、生成した制御信号を撮像部１００のズームアクチュエータに対して出力する。これにより、撮像部１００のズームレンズ１０１が駆動し、光学的なズーム動作またはテレ動作が実行される。
【００３５】
＜操作端末２０の構成＞
次に、撮像装置１を遠隔操作するための操作端末２０について説明する。図３は、本実施の形態に係る操作端末２０の構成例を示すブロック図である。操作端末２０は、表示部２１と、操作部２２と、制御部２３と、通信部２４と、を備える。
【００３６】
表示部２１は、例えば、ＬＣＤ（Liquid Crystal Display）や有機ＥＬであり、撮像装置１から送られてくるフレーム毎の画像データ（第２の画像データ）に基づいて動画像を表示する。操作部２２は、パン動作ボタンや、チルト動作ボタン、ズーム動作ボタン、テレ動作ボタン、録画開始ボタン、録画停止ボタン等である。
【００３７】
操作部２２の各ボタンの押下が行われると、制御部２３が、当該ボタンに対応する制御信号を生成する。例えば、制御部２３は、パン動作ボタンが押下されると、撮像装置１に対してパン動作を指示するための制御信号（以下、パン動作信号と称す）を生成する。また、制御部２３は、チルト動作ボタンが押下されると、撮像装置１に対してチルト動作を指示するための制御信号（以下、チルト動作信号と称す）を生成する。パン動作信号及びチルト動作信号は、撮像装置１の撮像方向を指示する方向指示情報であり、パンチルト角度の目標値やパンチルト量、等を含む信号である。なお、パン動作信号及びチルト動作信号に、撮像画像データにおける切り出し領域の座標情報を含めてもよい。
【００３８】
同様に、ズーム動作ボタンが押下されると、撮像装置１に対してズーム動作を指示するための制御信号（以下、ズーム動作信号と称す）を生成する。また、制御部２３は、テレ動作ボタンが押下されると、撮像装置１に対してテレ動作を指示するための制御信号（以下、テレ動作信号と称す）を生成する。
【００３９】
なお、操作部２２は、押下可能なボタンであってもよいし、タッチパネルであってもよい。例えば、スマートフォンに操作プログラムをダウンロードして操作端末２０として使用する場合には、表示部２１を操作部２２として使用することもできる。この場合、制御部２３は、ユーザの指で表示部２１が上下左右にスワイプされることにより、パンチルト動作信号を生成するようにしてもよい。例えば、スワイプの速度や量に応じて、パン角度やチルト角度を決定してもよい。さらに、スマートフォンに加速度センサを設けて、スマートフォンの端末自体を上下左右に傾けることにより、パンチルト動作信号を生成してもよい。
【００４０】
また、制御部２３は、ユーザの指で表示部２１がピンチアウトされることによりズーム動作信号を生成するようにしてもよい。さらに、制御部２３は、ユーザの指で表示部２１がピンチインされることによりテレ動作信号を生成するようにしてもよい。例えば、ピンチアウトやピンチイン動作時の２本の指の移動距離に応じて、ズーム量等を決定してもよい。
【００４１】
制御部２３は、ＣＰＵ、各種プログラムが格納されたＲＯＭ、及びワークエリアとしてのＲＡＭ等を含む半導体集積回路により構成され、各種画像の表示等の操作端末２０全体の処理を統括的に制御する。制御部２３は、撮像装置１と操作端末２０とが通信可能な状態となるための接続要求信号を生成する。そして、制御部２３は、撮像装置１に接続要求信号を送信する。撮像装置１と操作端末２０との通信が確立されると、制御部２３は、表示部２１の画素数情報を、通信部２４に送信させる。なお、画素数情報は、図示しないメモリ等に予め格納されている。
【００４２】
通信部２４は、Ｗｉ−Ｆｉ等の無線通信処理を行い、パンチルト動作信号や、ズームテレ動作信号、各種制御信号を撮像装置１に対して送信する。また、通信部２４は、撮像装置１から送信される画像データ（第２の画像データ）を受信する。
【００４３】
＜電池収納構造の構成＞
以下、電池収納構造５０について詳細に説明する。図４は、電池収納構造５０の外観を示した図である。電池収納構造５０は、撮像装置１の固定台１５に収納されており、図４（Ａ）は、電池収納構造５０を固定台１５側から本体部１１側に見た図である。図４（Ｂ）は、図４（Ａ）を側面から見た図、図４（Ｃ）は、図４（Ａ）を裏面から見た図である。
【００４４】
同図に示すように、電池収納構造５０には、電池を収納するための電池収納空間５８、電源のＯＮ−ＯＦＦを制御するためのＳＷ５７、が設けられている。この例では、電池を２本用い、直列に接続する場合を説明する。この場合、電池同士が接続される電極導電端子５４が電池収納空間５８端部である壁部５９に設けられている。電極導電端子５４を金属製の線材のコイル状形状としているが、電極導電端子５４に関しては、平板形状の端子としてもよい。
【００４５】
電池収納空間５８の他の端部である壁部５９には、電池の電流を導通するための電極導電端子５２，５３が設けられている。この電極導電端子５２，５３は、この例では、電池の＋側電極に対応する端子を電極導電端子５２、電池の−側電極に対応する端子を電極導電端子５３としている。
【００４６】
また、電池収納構造５０には上述の内部回路構成で説明した、内部回路が搭載された電気回路基板６０を配置収納するために、電気回路基板６０の形状に応じた電気回路基板収納部６１が設けられている。もちろん、電気回路基板６０には、内部回路構成全てを含んでいても、一部回路を分割した電気回路が搭載されていてもよい。
【００４７】
次に、電極導電端子５２，５３についてさらに詳細に説明する。図５は、電池収納構造５０における電極導電端子５２，５３を説明するための図である。同図に示すように、電池収納構造５０には、電池を収納するための電池収納空間５８が設けられている。電池同士が接続される電極導電端子５４が電池収納空間５８端部である壁部５９に設けられている。
【００４８】
電池同士が接続される電極導電端子５４の反対側の端部である壁部５９に、電池の＋側電極に対応する端子である電極導電端子５２が設けられている。電極導電端子５２は、金属製の線材により一体的に形成されており、電池接触部をコイル状部５２１として形成するとともに、コイル状部５２１の他方となる端部に係止部５２３、コイル状部５２１と係止部５２３との間に折り曲げ部５２２を設けた構造となっている。
【００４９】
一方同様に、電池の−側電極に対応する端子である電極導電端子５３が設けられている。電極導電端子５３は、金属製の線材により一体的に形成されており、電池接触部をコイル状部５３１として形成するとともに、コイル状部５３１の他方となる端部に係止部５３３、コイル状部５３１と係止部５３３との間に折り曲げ部５３２を設けた構造となっている。
【００５０】
電極導電端子５４、コイル状部５２１、コイル状部５３１はそれぞれ電池収納空間５８端部である壁部５９に配置固定されている。壁部５９にそれぞれのコイル形状に応じた形状の凹み等を設けて差し込み固定するようにしている。また、図からわかるように、電極導電端子５４と、コイル状部５２１，５３１との間に電池をセットするようにしており、セット後には電池の電極に対して導電端子を適正な位置で充分な圧接力で接触させて良好な導通状態を構成している。
【００５１】
次に、図６を用いて電池収納構造５０と電気回路基板６０との配置を説明する。同図に示すように、電池収納構造５０には、電池を収納するための電池収納空間５８が設けられている。電池同士が接続される電極導電端子５４が電池収納空間５８端部である壁部５９に設けられている。また、電池同士が接続される電極導電端子５４の反対側の端部である壁部５９に、電池の＋側電極に対応する端子である電極導電端子５２が設けられている。一方同様に、電池の−側電極に対応する端子である電極導電端子５３が設けられている。
【００５２】
電極導電端子５２、電極導電端子５３は、コイル状部５２１、コイル状部５３１（同図では壁部５９の背面であり不図示）により壁部５９に保持されている。コイル状部５２１、コイル状部５３１のそれぞれの一方の端部である係止部５２３、係止部５３３により電池収納構造５０の電気回路基板収納部６１に保持されている。このとき、折り曲げ部５２２、折り曲げ部５３２はそれぞれ折り曲げられた方を基板方向に向け保持される。
【００５３】
電池収納構造５０の電気回路基板収納部６１に対応する電気回路基板６０には、折り曲げ部５２２、折り曲げ部５３２にそれぞれ対応するランド穴６４、ランド穴６５及び、ランド穴６４、ランド穴６５に付随したランドフットプリント６２、ランドフットプリント６３が設けられている。
【００５４】
この折り曲げ部５２２、折り曲げ部５３２をそれぞれ対応するランド穴６４、ランド穴６５に挿入し、ランド穴６４、ランド穴６５に付随したランドフットプリント６２、ランドフットプリント６３と折り曲げ部５２２、折り曲げ部５３２とをハンダ付けすることにより電池の電流を電気回路基板６０に導通するようにする。この例では、ハンダ付けを用いる構成としたが、電気的に固着できれがよく、他の溶着方法を用いてももちろんよい。
【００５５】
図７を用いて、電気回路基板６０について説明する。同図は、電気回路基板６０の外観図であり、電気回路基板収納部６１の裏面側から見た図である。曲げ部５２２、折り曲げ部５３２をそれぞれ対応するランド穴６４、ランド穴６５が設けられ、ランド穴６４、ランド穴６５に付随したランドフットプリント６２、ランドフットプリント６３がそれぞれランド穴６４、ランド穴６５長手方向両端に設けられている。
【００５６】
さらに、ランドフットプリント６２、ランドフットプリント６３について詳細に説明する。図８は、ランドフットプリントの形状を説明するための概念図である。図８（Ａ）は、電気回路基板６０に折り曲げ部５２２、折り曲げ部５３２をそれぞれ挿入し、側面側から見た図である。図８（Ｂ）は、電気回路基板６０に折り曲げ部５２２、折り曲げ部５３２をそれぞれ挿入し、ランドフットプリント６２、ランドフットプリント６３側から見た図である。
【００５７】
図８（Ａ）に示すように、折り曲げ部５２２、折り曲げ部５３２をそれぞれ対応するランド穴６４、ランド穴６５に挿入し、ランド穴６４、ランド穴６５に付随しているため、電極導電端子５２、電極導電端子５３の折り曲げ部５２２、折り曲げ部５３２をハンダ付けする端子は２箇所に限定されることになる。
【００５８】
従って、図８（Ｂ）に示すように、折り曲げ部５２２、折り曲げ部５３２に対応したランドフットプリント６２、ランドフットプリント６３は、中心部の銅箔をカットして折り曲げ部５２２、折り曲げ部５３２が電気回路基板６０に接触する部分に例えば半月形状に形成している。
【００５９】
これは、電極導電端子５２、電極導電端子５３の折り曲げ部５２２、折り曲げ部５３２を上述の説明のように金属製の線材により一体的に形成した場合、折り曲げ部５２２、折り曲げ部５３２の例えばＵ字形状に加工された形状で電気回路基板６０に挿入してはんだ付けする場合、折り曲げ部５２２、折り曲げ部５３２の内側が中空になっているため、従来のランドフットプリントではランド穴にハンダがたれてしまう、またはピンホールが発生してしまう問題が考えられるためこのような形状のランドフットプリントとしている。
【００６０】
さらに詳細に、ランドフットプリントについて説明する。図９は、電気回路基板６０に適用されるランドフットプリントの一例を示した図である。図９（Ａ）は、ランド穴形状を、図９（Ｂ）は、それに対応するレジスト形状を、図９（Ｃ）は同じく対応するランドフットプリント形状を示している。
【００６１】
このようなランドフットプリント形状にすることにより、余剰なハンダが発生しないので、ハンダ付け作業性が良好となる。また、余剰なハンダがランド穴に流れ込まないのでハンダ付け作業の作業性の向上、ハンダ付け部分の信頼性向上を図ることができる。
【００６２】
上述の例では、ランドフットプリント形状を半月形状に形成しているがさらに分割した形状にしてもよい。こうすることにより、ハンダ付けのハンダ量が良好に制御することができる。
【００６３】
また、上述の例では、ランドフットプリント形状を工夫したが、折り曲げ部５２２、折り曲げ部５３２をそれぞれ対応するランド穴６４、ランド穴６５のハンダ付けしない部分であるレジスト部分の開口部の中心を絞り込んだ形状とするなどレジスト部分の形状で  ランド穴にハンダがたれてしまう、またはピンホールが発生してしまう問題に対応してもよい。
【００６４】
上述の説明では、本発明にかかる電池収納構造を備えた撮像装置を例に説明したが、電池収納構造を備えたパンチルト雲台と撮像装置とを別体の構成としてももちろんよい。また、本発明にかかる電池収納構造は撮像装置と組み合わされるだけではなく、電池を電源とする多様な電気機器に備えられる電池収納構造に適用される。
【００６５】
また、本発明にかかる電池収納構造は、電池を収納する例を基に説明したが、充電可能な着脱可能のバッテリ電源を収納する収納構造に適用してもよく、この場合、バッテリの電極に接触する電極導電端子から延設され、電極導電端子と折り曲げ部と係止部とが連なる形状となるよう単一の金属製の線材で成形される。
【００６６】
上述のように、電池同士が接続される電極導電端子の反対側の端部である壁部に、電池の＋側電極に対応する端子である電極導電端子、電池の−側電極に対応する端子である電極導電端子を同軸芯となるコイル状部から延設され、コイル状部と折り曲げ部と係止部とが連なる形状となるよう単一の金属製の線材を成形しているので、構造が簡素でありながら組立が容易な電池収納構造、及びその電池収納構造を用いた撮像装置を提供することが可能である。
【００６７】
また、電極導電端子に折り曲げ部を設け、その折曲げ部と回路基板をハンダ付けする際、ランドフットプリント形状を工夫し部分的に電極導電端子が基板に接触する部分のみをハンダ付けするようにしたので、ハンダ付けの信頼性が高い電池収納構造、及びその電池収納構造を用いた撮像装置を提供することが可能である。
【符号の説明】
【００６８】
１  撮像装置
１１  本体部
１２  支持部
１３  アーム部
１４  回転台
１５  固定台
２０  操作端末
２１  表示部
２２  操作部
２３  制御部
２４  通信部
５０  電池収納構造部
５２，５３，５４  電極導電端子
５２１，５３１  コイル状部
５２２，５３２  折り曲げ部
５２３，５３３  係止部
５７  ＳＷ
５８  電池収納空間
５９  壁部
６０  電気回路基板
６１  電気回路基板収納部
６２，６３  ランドフットプリント
６４，６５  ランド穴
１００  撮像部
１０１  ズームレンズ
１０２  フォーカスレンズ
１０３  絞り
１０４  撮像素子
１０５  アナログ画像信号処理部
１０６  画像Ａ／Ｄ変換部
１０７  画像入力コントローラ
１０８  デジタル信号処理部
１０９  マイク
１１０  アナログ音声信号処理部
１１１  音声Ａ／Ｄ変換部
１１２  音声入力コントローラ
１１３  多重化部
２０１  圧縮・伸張処理部
２０２  音声・画像処理部
２０３  ＲＯＭ
２０４  フラッシュＲＯＭ
２０５  メインメモリ
２０６  メディア制御部
２０７  ジャイロセンサ
３０１  カードＩ／Ｆ
３０２  カード型記録媒体
３０３  入出力Ｉ／Ｆ
３０４  液晶モニタ
３０５  スピーカ
３０６  操作部
３０７  入出力端子
３０８  無線Ｉ／Ｆ
３０９  無線モジュール
４００  中央制御部
４０１  画像切り出し部
４０２  領域状態検出部
４０３  画角制御部
【図１】
2014107080.tif 000003
【図２】
2014107080.tif 000004
【図３】
2014107080.tif 000005
【図４】
2014107080.tif 000006
【図５】
2014107080.tif 000007
【図６】
2014107080.tif 000008
【図７】
2014107080.tif 000009
【図８】
2014107080.tif 000010
【図９】
2014107080.tif 000011